【手続補正書】
【提出日】平成15年8月20日(2003.8.20)
【手続補正１】
【補正対象書類名】明細書
【補正対象項目名】発明の名称
【補正方法】変更
【補正の内容】
【発明の名称】３次元モデルの複数の図の間の関係を示す方法およびシステム


【手続補正２】
【補正対象書類名】明細書
【補正対象項目名】特許請求の範囲
【補正方法】変更
【補正の内容】
【特許請求の範囲】
【請求項１】
３次元モデルの少なくとも２つの複数の図の間の関係を示す方法であって、
前記複数の図の第１の図に示されたオブジェクトを前記複数の図の第２の図とリンクするデータ構造を提供するステップと、
ユーザの前記オブジェクトの選択に応じて、前記オブジェクトと前記複数の図の第２の図との間の関係を示すステップと
を備えたことを特徴とする方法。
【請求項２】
請求項１に記載の方法において、
関係を示すステップは、前記複数の図の第２の図をハイライトすること含む
ことを特徴とする方法。
【請求項３】
請求項１に記載の方法において、
前記複数の図の第２の図がコンピュータスクリーン上で不可視の場合に応答して、前記複数の図の第２の図を前記コンピュータスクリーン上に表示する
ことを特徴とする方法。
【請求項４】
請求項１に記載の方法において、
前記オブジェクトは、図のオブジェクと、切断線および細部円の少なくとも１つを含む
ことを特徴とする方法。
【請求項５】
請求項１に記載の方法において、
前記オブジェクトを前記複数の図の第２の図とリンクする前記データ構造は、前記複数の図の第１と前記複数の図の第２の図が生成される基本的な３次元モデルデータから得られる
ことを特徴とする方法。
【請求項６】
請求項１に記載の方法において、
前記オブジェクトの選択は、幾何図形的配列上にカーソル矢印を置いてマウスボタンをクリックする
ことを含むことを特徴とする方法。
【請求項７】
コンピュータによって実施される、３次元モデルの少なくとも２つの複数の図の間の関係を示す方法であって、
第１のオブジェクトと第２の図との間のリンクを含むデータ構造を使用する前記第１のオブジェクトを定義するステップと、
第１の図の中の前記第１のオブジェクトを選択するステップと、
前記第１のオブジェクトと前記第２の図との間のリンクを実行するステップと、
前記第１の図と前記第２の図との間の関係を示すステップと
を備えたことを特徴とする方法。
【請求項８】
請求項７に記載の方法において、
前記第１のオブジェクトと前記第２の図との間のリンクは、前記第１のオブジェクトに対応する第２のオブジェクトの前記第２の図における存在によって判定される
ことを特徴とする方法。
【請求項９】
請求項７に記載の方法において、
前記第１のオブジェクトと前記第２の図との間のリンクを含む前記データ構造は、前記第１のオブジェクトを識別し、前記第１のオブジェクトを前記第２の図と関連付ける
ことを特徴とする方法。
【請求項１０】
請求項７に記載の方法において、
関係を示すステップは、前記第１のオブジェクトと前記第２の図をハイライトすること含む
ことを特徴とする方法。
【請求項１１】
請求項９に記載の方法において、
ハイライトは、色を変えることと陰影付けの少なくとも１つを含む
ことを特徴とする方法。
【請求項１２】
請求項７に記載の方法において、
前記第２の図は、前記第１の図の近傍に現れるように位置を変えられる
ことを特徴とする方法。
【請求項１３】
請求項１２に記載の方法において、
従来の製図基準に従って前記第１の図と前記第２の図を並べるステップ
をさらに備えたことを特徴とする方法。
【請求項１４】
オブジェクトの２つの複数の図を表示する方法であって、
前記複数の図の第１の図を選択するステップと、
前記複数の図の第２の図を選択するステップと、
前記第１の図が前記第２の図と近接するように前記複数の図の少なくとも１つを動かすステップと
を備えたことを特徴とする方法。
【請求項１５】
請求項１４に記載の方法において、
前記第１の図が前記第２の図の投影である場合は、前記複数の図の少なくとも１つを動かすステップは、前記複数の図を１列に瞬時に配置することを含む
ことを特徴とする方法。
【請求項１６】
請求項１５に記載の方法において、
前記第１の図および前記第２の図を配置することは、前記複数の図の各々に関連する変換行列を使用することを含む
ことを特徴とする方法。
【請求項１７】
請求項１６に記載の方法において、
前記変換行列は、前記複数の図の各々の相対座標を絶対座標系に関連付ける
ことを特徴とする方法。
【請求項１８】
請求項１４に記載の方法において、
前記第１の図を選択するステップと前記第２の図を選択するステップは、前記複数の図にカーソル矢印を置いてマウスボタンをクリックすることを含む
ことを特徴とする方法。
【請求項１９】
請求項１４に記載の方法において、
前記第１の図を選択するステップと前記第２の図を選択するステップは、前記複数の図の少なくとも１つを前記複数の図の他の図の近傍にドラッグアンドドロップすることを含む
ことを特徴とする方法。
【請求項２０】
３次元モデルの少なくとも２つの複数の図の間の関係を示す方法であって、
前記モデルの２次元図面を生成するために３次元モデルデータを処理するステップと、
３次元空間における位置でのポインタを配置するユーザ入力を受け付けるステップと、
前記２次元図面を表示するステップであって、
３次元空間における前記ポインタの位置に対応する第１の図の２次元空間における相対位置での前記第１の図内のポインタを表示するステップと、
３次元空間における前記ポインタの位置に対応する第２の図の２次元空間における相対位置での前記第２の図内のポインタを表示するステップと
を含むステップと
を備えたことを特徴とする方法。
【請求項２１】
請求項２０に記載の方法において、
前記相対位置は、前記ポインタの絶対位置に対して前記複数の図の各々に関する変換行列を適用することにより判定される
ことを特徴とする方法。
【請求項２２】
請求項２０に記載の方法において、
ユーザが前記複数の図の中の前記第１の図内のポインタを移動するのに応じて、前記複数の図の中の前記第２の図内で対応する量だけ前記ポインタを動かすステップ
をさらに備えたことを特徴とする方法。
【請求項２３】
請求項２２に記載の方法において、
前記第１の図は、前記モデルの投影を表す第１の２次元座標空間を含み、
前記第１の２次元座標空間内で前記ポインタを移動するためのユーザからの入力を受け付けるステップと、
前記第１の２次元座標空間内で前記ポインタを移動する受け付けた入力に基づいて、前記ポインタの新しい位置を判定するために、前記第１の図に前記モデルをマッピングする逆変換行列を適用することにより、３次元空間における前記ポインタの新しい絶対位置を判定するステップと
をさらに備えたことを特徴とする方法。
【請求項２４】
請求項２３に記載の方法において、
前記第２の図内の前記ポインタに関する新しい位置は、前記ポインタの新しい位置に対して前記第２の図に関する変換行列を適用することにより判定される
ことを特徴とする方法。
【請求項２５】
共に関連する複数の２次元の図を有する３次元モデルを表示するコンピュータ支援設計システムで実行される方法であって、
各図は所定の視点からの前記モデルの表示を含み、
前記複数の図の第１の図を呈示するために前記モデルを回転するステップと、
前記複数の図の前記第１の図を示すために停止するステップと、
前記複数の図の他の図を呈示するために前記モデルを連続的に回転し停止するステップと
を備えたことを特徴とする方法。
【請求項２６】
請求項２５に記載の方法において、
回転停止のユーザの指示に応じて、該ユーザが別に指示するまで回転を一時中断するステップ
をさらに備えたことを特徴とする方法。
【請求項２７】
請求項２６に記載の方法において、
前記ユーザが前記複数の図の第１の特定の図で回転の停止を指示した後、前記複数の図の前記第１の特定の図の第１の幾何図形と前記複数の図の第２の特定の図との間の関係を示すステップ
をさらに備えたことを特徴とする方法。
【請求項２８】
請求項２７に記載の方法において、
関係を示すステップは、前記複数の図の前記第２の特定の図をハイライトすることを含む
ことを特徴とする方法。
【請求項２９】
請求項２７に記載の方法において、
ユーザスクリーン上で不可視の、前記複数の図の前記第２の特定の図に応答して、前記複数の図の前記第２の特定の図を前記ユーザスクリーン上に表示する
ことを特徴とする方法。
【請求項３０】
請求項２７に記載の方法において、
前記第１の幾何図形は、切断線および細部円の少なくとも１つを含む
ことを特徴とする方法。
【請求項３１】
請求項２７に記載の方法において、
前記複数の図の前記第１の特定の図の第１の幾何図形と前記複数の図の第２の特定の図との間の関係を示した後、前記複数の図の前記第２の特定な図を呈示するために前記モデルを回転するステップ
をさらに備えたことを特徴とする方法。
【請求項３２】
請求項２５に記載の方法において、
呈示された図が断面図であることに応じて、前記モデルの一部分を、前記断面図を示すために取り除くステップ
をさらに備えたことを特徴とする方法。
【請求項３３】
請求項２０に記載の方法において、
前記第１の図は、第１の複数の２次元オブジェクトを含み、
前記第２の図は、第２の複数の２次元オブジェクトを含み、
前記第１の複数の２次元オブジェクトの各々について、前記第２の複数の２次元オブジェクトの対応するオブジェクトが存在し、複数の対応するオブジェクトが前記３次元モデルの同じ特徴を表す
ことを特徴とする方法。
【請求項３４】
請求項３３に記載の方法において、
前記複数の図の前記第２の図がユーザスクリーン上で不可視のときに、前記複数の図の第１の図内の変更に応じて、自動的に前記ユーザスクリーン上に前記複数の図の前記第２の図を表示する
ことを特徴とする方法。
【請求項３５】
請求項２５に記載の方法において、
各２次元の図の表示用データおよび前記複数の図を表示するためのプログラムは、単一のファイルに格納されている
ことを特徴とする方法。
【請求項３６】
請求項３５に記載の方法において、
前記単一のファイルに３次元モデルデータを格納するステップ
をさらに備えたことを特徴とする方法。
【請求項３７】
請求項２０に記載の方法において、
前記２次元図面の表示用データおよび前記２次元図面を表示するためのプログラムは、単一のファイルに格納されている
ことを特徴とする方法。
【請求項３８】
請求項３７に記載の方法において、
前記単一のファイルに３次元データを格納するステップ
をさらに備えたことを特徴とする方法。
【請求項３９】
モデルの少なくとも２つの複数の図の間の関係を示す方法であって、
モデルを詳細に示すデータと該モデルの複数の図面の図を定義するデータとを含むモデルデータを処理するステップであって、各図面の図は前記モデルを詳細に示す前記データから判定された複数の２次元オブジェクトを含むステップと、
出力装置上に前記複数の図面の図の内の第１の図面の図を表示するステップと、
前記第１の図面の図から第１のオブジェクトを選択する、ユーザからの入力を受け付けるステップと、
選択された前記第１のオブジェクトと第２の図との間の対応に基づいて、前記複数の図面の図の第２の図を選択するステップであって、前記対応は前記モデルデータに基づいて判定されるステップと、
自動的に前記ユーザに前記第２の図を表示するステップと
を備えたことを特徴とする方法。
【請求項４０】
請求項３９に記載の方法において、
前記第２の図を表示するステップは、前記第１の図と前記第２の図とを同時に表示することを含む
ことを特徴とする方法。
【請求項４１】
請求項３９に記載の方法において、
選択された前記第１のオブジェクトは、対応する詳細図がある前記第１の図の領域を表す細部円を含み、
前記第２の図を選択するステップは、前記対応する詳細図を選択することを含む
ことを特徴とする方法。
【請求項４２】
請求項３９に記載の方法において、
前記モデルは３次元モデルである
ことを特徴とする方法。
【請求項４３】
請求項４２に記載の方法において、
選択された前記第１のオブジェクトは、前記３次元モデルの対応する断面図の部分を表す切断線を含み、
前記第２の図を選択するステップは、前記対応する断面図を選択することを含む
ことを特徴とする方法。
【請求項４４】
請求項４２に記載の方法において、
選択された前記第１のオブジェクトは、前記３次元モデルの第１の部分をモデリングするデータから得られ、
前記第２の図は、前記３次元モデルの前記第１の部分から得られる第２のオブジェクトを含み、
選択された前記第１のオブジェクトと第２の図との間の対応に基づいて、前記複数の図面の図の第２の図を選択するステップは、前記３次元モデルの同じ部分から得られる前記第１のオブジェクトおよび前記第２のオブジェクトに基づいて選択することを含む
ことを特徴とする方法。
【請求項４５】
請求項４２に記載の方法において、
前記第１の図は、第１の複数の２次元オブジェクトを含み、
前記第２の図は、第２の複数の２次元オブジェクトを含み、
前記第１の複数の２次元オブジェクトの各々について、前記第２の複数の２次元オブジェクトの対応するオブジェクトが存在し、複数の対応するオブジェクトが前記３次元モデルの同じ特徴を表す
ことを特徴とする方法。
【請求項４６】
モデルの複数の図を表示する方法であって、
同じモデルの複数の異なる図を生成するステップと、
前記複数の図の配置を製図基準に適合させる規則を適用することを含む、前記複数の図を同じ図面の複数の部分として自動的に配置するステップと、
配置した前記複数の図を含む前記図面を表示するステップと
を備えたことを特徴とする方法。
【請求項４７】
請求項４６に記載の方法において、
配置した前記複数の図は、第１の図と第２の図とを含み、
前記第２の図は、前記第１の図の投影であり、
製図基準に適合させ配置するステップは、ＡＮＳＩ製図基準およびＩＳＯ製図基準から成るグループから選択された製図基準に適合させて、水平または垂直に整列して配置することを含む
ことを特徴とする方法。
【請求項４８】
複数の図を有する電子図面の解釈を提供するためのコンピュータベースのシステムであって、
複数の可能な図から互いに近接させて複数の選択図を見る者に見せるための仮想的なフォールディングプロセスと、
見られるオブジェクトの複数の座標が複数の図に現れる場合に、少なくとも１つの前記座標を同時にハイライトするためのハイパーリンク処理と、
見られるオブジェクトの同じポイントが複数の図に現れる場合に、前記ポイントを同時に指定するためのポインタと、
前記見られるオブジェクトの３次元描画を回転軸の周りに回転させ、２次元の図が前記図面の面に一致する時に前記２次元の図をハイライトさせるための、ドローイングアニメータと
を備えたことを特徴とするコンピュータベースのシステム。
【請求項４９】
請求項４８に記載のコンピュータベースのシステムにおいて、
前記電子図面用２次元データおよび前記電子図面を表示するためのプログラムは、単一のファイルに格納されている
ことを特徴とするコンピュータベースのシステム。
【請求項５０】
請求項４９に記載のコンピュータベースのシステムにおいて、
前記単一のファイルに３次元データを格納すること
をさらに備えたことを特徴とするコンピュータベースのシステム。